(57)【要約】      （修正有）【課題】ローアングル撮影を快適に行えると共に、縦横を簡単に切り換え可能な携帯電話を提供する。【解決手段】第１の筐体２と第２の筐体３とを折り畳み可能に連結した携帯電話１は、第１の筐体２を第１の回転軸Ｘ回りに回動可能に支持し、第２の筐体３を第１の回転軸Ｘに垂直な第２の回転軸Ｙ回りに回動可能に支持する連結部材４と、第１の筐体２と連結部材４とを第１の回転軸Ｘ回りに開閉自在に連結する第１のロック機構Ｒ１と、第２の筐体３と連結部材４とを第２の回転軸Ｙ回りに開閉自在に連結する第２のロック機構と、を備えている。【選択図】図１
2015056706.tif 000002
【特許請求の範囲】
【請求項１】
表示部を備えた第１の筐体と操作部及びカメラを備えた第２の筐体とを備え、前記第１の筐体と前記第２の筐体とを折り畳み可能な携帯電話であって、
前記第１の筐体と前記第２の筐体との間に介装されて、前記第１の筐体を第１の回転軸回りに回動可能に支持し、前記第２の筐体を前記第１の回転軸に垂直な第２の回転軸回りに回動可能に支持する連結部材と、
前記第１の筐体と前記連結部材との間に設けられて、前記第１の筐体と前記連結部材とを前記第１の回転軸回りに開閉自在に連結する第１のロック機構と、
前記第２の筐体と前記連結部材との間に設けられて、前記第２の筐体と前記連結部材とを前記第２の回転軸回りに開閉自在に連結する第２のロック機構と、
を備えていることを特徴とする携帯電話。
【請求項２】
前記第１の筐体は、前記第１の回転軸と平行な幅方向の両端を前記連結部材に支持されていることを特徴とする請求項１記載の携帯電話。
【請求項３】
前記第２の筐体は、前記第２の回転軸と平行な長手方向の両端を前記連結部材に支持されていることを特徴とする請求項１記載の携帯電話。
【請求項４】
前記連結部材は、前記表示部及び前記操作部と対向する領域を囲繞する枠体であることを特徴とする請求項１に記載の携帯電話。
【発明の詳細な説明】
【技術分野】
【０００１】
本発明は、携帯電話に関し、特に、カメラを備えた折り畳み携帯電話に関する。
【背景技術】
【０００２】
従来より、携帯電話として、表面に表示部を配設し裏面にカメラの撮影レンズを有する第１の筐体と、表面に通話ボタンや操作キー等から成る操作部を備えた第２の筐体と、第１の筐体と第２の筐体とを折り畳み自在に結合するヒンジ部と、を備えたカメラ付き折り畳み携帯電話が知られている（特許文献１を参照）。
【０００３】
このような携帯電話のカメラで被写体を撮影する際には、第１の筐体と第２の筐体とを略１８０度開いて、被写体の大きさ、向き等に応じて、カメラの撮影レンズの光軸を中心に携帯電話を回転させることにより、被写体を縦長の撮像画像に収める縦画面位置と、被写体を横長の撮像画像に収める横画面位置と、を適宜撮り分けることができる。
【先行技術文献】
【特許文献】
【０００４】
【特許文献１】特開２００７−２６７０６０号公報。
【発明の概要】
【発明が解決しようとする課題】
【０００５】
しかしながら、上述したような携帯電話では、通常、撮影者が表示部を視る視線と撮影レンズの光軸とが略平行になるように、第１の筐体の裏面の撮影レンズを被写体に向けて撮影を行うため、撮影者が極端に低い位置で撮影を行うために被写体を下から見上げる位置にカメラの撮影レンズを向ける場合、所謂、ローアングル撮影を行う場合には、撮影者が腰を屈める等の撮影し難い姿勢をとり、携帯電話をカメラの光軸回りに回転させながら、被写体を縦長又は横長の何れの向きに収めるかを検討しなければならないという問題があった。
【０００６】
そこで、ローアングル撮影を快適に行えると共に、縦画面位置と横画面位置とを簡単に切り換えるために解決すべき技術的課題が生じてくるのであり、本発明は、この課題を解決することを目的とする。
【課題を解決するための手段】
【０００７】
本発明は上記目的を達成するために提案されたものであり、請求項１記載の発明は、表示部を備えた第１の筐体と操作部及びカメラを備えた第２の筐体とを備え、前記第１の筐体と前記第２の筐体とを折り畳み可能な携帯電話であって、前記第１の筐体と前記第２の筐体との間に介装されて、前記第１の筐体を第１の回転軸回りに回動可能に支持し、前記第２の筐体を前記第１の回転軸に垂直な第２の回転軸回りに回動可能に支持する連結部材と、前記第１の筐体と前記連結部材との間に設けられて、前記第１の筐体と前記連結部材とを前記第１の回転軸回りに開閉自在に連結する第１のロック機構と、前記第２の筐体と前記連結部材との間に設けられて、前記第２の筐体と前記連結部材とを前記第２の回転軸回りに開閉自在に連結する第２のロック機構と、を備えている携帯電話を提供する。
【０００８】
この構成によれば、第１の筐体と第２の筐体とを折り畳んだ状態で第１のロック機構を解除するだけで、第１の筐体と連結部材との掛止を解除して、第１の筐体を第１の回転軸まわりに回動可能なため、第１の筐体と第２の筐体とを折り畳んだ状態から、第１の筐体が第１の回転軸上に立ち上がった状態（第１の開位置）にワンタッチで簡単に移行することができる。また、第１の筐体と第２の筐体とを折り畳んだ状態で第２のロック機構を解除するだけで、第２の筐体と連結部材との掛止を解除して、第２の筐体を第２の回転軸まわりに回動可能なため、第１の筐体と第２の筐体とを折り畳んだ状態から、第２の筐体が第２の回転軸上に立ち上がった状態（第２の開位置）にワンタッチで簡単に移行することができる。すなわち、第１の筐体と第２の筐体とを折り畳んだ状態から第１の開位置又は第２の開位置に速やかに移行することができる。
【０００９】
請求項２記載の発明は、請求項１記載の携帯電話の構成に加えて、前記第１の筐体は、前記第１の回転軸と平行な幅方向の両端を前記連結部材に支持されている携帯電話を提供する。
【００１０】
この構成によれば、第１の筐体が幅方向の両端を連結部材に支持されるため、第１の筐体が、第１の回転軸に対して偏芯することなく第１の回転軸まわりに安定して回動することができる。
【００１１】
請求項３記載の発明は、請求項１記載の携帯電話の構成に加えて、前記第２の筐体は、前記第２の回転軸と平行な長手方向の両端を前記連結部材に支持されている携帯電話を提供する。
【００１２】
この構成によれば、第２の筐体が長手方向の両端を連結部材に支持されるため、第２の筐体が、第２の回転軸に対して偏芯することなく第２の回転軸まわりに安定して回動することができる。
【００１３】
請求項４記載の発明は、請求項１記載の携帯電話の構成に加えて、前記連結部材は、前記表示部及び前記操作部と対向する領域を囲繞する枠体である携帯電話を提供する。
【００１４】
この構成によれば、撮影者は、枠状の連結部材に囲まれた隙間を介して、第１の筐体の表示部を視たり第２の筐体の操作部を入力操作することができる。
【発明の効果】
【００１５】
請求項１記載の発明は、第１の筐体と第２の筐体とを折り畳んだ状態から第１の開位置又は第２の開位置に直接且つ速やかに移行可能なため、縦画面位置又は横画面位置を簡単に切り換えることができる。また、撮影者の表示部を視る視線と撮影レンズの光軸とが略垂直になるように第１の筐体と第２の筐体とを位置決め可能なため、撮影者は、ローアングル撮影を楽な姿勢で快適に行うことができる。
【００１６】
請求項２記載の発明は、請求項１記載の発明が奏する効果に加えて、第１の筐体が第１の回転軸まわりに安定して回動することができる。
【００１７】
請求項３記載の発明は、請求項１記載の発明が奏する効果に加えて、第２の筐体が第２の回転軸まわりに安定して回動することができる。
【００１８】
請求項４記載の発明は、請求項１記載の発明が奏する効果に加えて、撮影者は、枠状の連結部材に囲まれた隙間を介して、第１の筐体の表示部を視たり、第２の筐体の操作部を入力操作することができる。
【図面の簡単な説明】
【００１９】
【図１】本発明の一実施例に係る携帯電話１の第２の筐体３を回動した状態を示す斜視図。
【図２】携帯電話１の第１の筐体２を回動した状態を示す斜視図。
【図３】携帯電話１の連結部材４を示す斜視図。
【図４】携帯電話１の第１のロック機構Ｒ1を示す組立分解図。
【図５】携帯電話１の第２のロック機構Ｒ２を示す組立分解図。
【図６】第１の筐体２を第１の回転軸Ｘ回りに回動させる様子を示す要部断面図であり、（ａ）は掛止突部５１が連結部材４の裏面４ａに掛止している状態を示し、（ｂ）は掛止突部５１が連結部材４の裏面４ａから離れた状態を示し、（ｃ）は第１の筐体２と連結部材４とが切り離された状態を示し、（ｄ）はガイド５３が連結部材４の表面４ｂに当接した状態を示す図。
【図７】携帯電話１の第１の開位置を示す模式図。
【図８】第２の筐体３を第２の回転軸Ｙ回りに回動させる様子を示す要部断面図であり、（ａ）は掛止突部６１が掛止孔４５に掛止している状態を示し、（ｂ）は掛止突部６１が掛止孔４５から離れた状態を示し、（ｃ）は第２の筐体３と連結部材４とが切り離された状態を示し、（ｄ）は掛止突部６１がガイド部４６に当接した状態を示す図。
【図９】携帯電話１の第２の開位置を示す模式図。
【発明を実施するための形態】
【００２０】
本発明は、ローアングル撮影を快適に行えると共に、縦画面位置と横画面位置とを簡単に切り換えるという目的を達成するために、表示部を備えた第１の筐体と操作部及びカメラを備えた第２の筐体とを備え、第１の筐体と第２の筐体とを折り畳み可能な携帯電話であって、第１の筐体と第２の筐体との間に介装されて、第１の筐体を第１の回転軸回りに回動可能に支持し、第２の筐体を第１の回転軸に垂直な第２の回転軸回りに回動可能に支持する連結部材と、第１の筐体と連結部材との間に設けられて、第１の筐体と連結部材とを第１の回転軸回りに開閉自在に連結する第１のロック機構と、第２の筐体と連結部材との間に設けられて、第２の筐体と連結部材とを第２の回転軸回りに開閉自在に連結する第２のロック機構と、を備えていることにより実現する。
【実施例】
【００２１】
以下、本発明の一実施例に係る携帯電話について、図面に基づいて説明する。
【００２２】
図１及び図２に示すように、携帯電話１は、第１の筐体２と、第２の筐体３と、第１の筐体２と第２の筐体３との間に介装された連結部材４と、を備え、第１の筐体２の表面２ａと第２の筐体３の表面３ａとを対向させて折り畳むことが可能なカメラ付き携帯電話である。
【００２３】
第１の筐体２は、矩形平板状に形成されて、表面２ａに表示部としてのＬＣＤ（Ｌｉｑｕｉｄ  Ｃｒｙｓｔａｌ  Ｄｉｓｐｌａｙ）等の電子ディスプレイ２１を備えている。なお、符号２２は、受話時に用いられるマイクロホンである。
【００２４】
第１の筐体２は、第１の筐体２の幅方向Ｗの両端から夫々突設されたピン２３を後述する連結部材４の軸受孔４２ａに挿通して成る第１のヒンジ部Ｈ１を介して、携帯電話１の幅方向Ｗに平行な第１の回転軸Ｘ回りに回動可能に連結部材４に連結されている。
【００２５】
第２の筐体３は、矩形平板状に形成されており、表面３ａに配置された操作部３１と、裏面３ｂに設けられた後述する撮影レンズ３２を有するカメラ（図示せず）と、を備えている。なお、符号３３は、受話時に用いられるスピーカーである。
【００２６】
第２の筐体３は、第２の筐体３の長手方向Ｌの両端から夫々突設されたピン３４を後述する連結部材の軸受孔４３ａに挿通して成る第２のヒンジ部Ｈ２を介して、携帯電話１の長手方向Ｌに平行な第２の回転軸Ｙ回りに回動可能に連結部材４に連結されている。
【００２７】
操作部３１は、電子ディスプレイ２１に表示されるカーソルを移動させたり、ある選択内容を確定する際に操作される十字操作キー３１ａ、「０」乃至「９」のテンキー３１ｂ、着信に出る発呼キー３１ｃ、通話を終了する終話キー３１ｄ等で構成されている。
【００２８】
連結部材４は、矩形状枠体の基部４１と、基部４１の裏面４１ａの幅方向Ｗに沿う一対の短端部４１ｓの一方に幅方向Ｗに互いに対向して立設されて軸受孔４２ａを夫々形成した一対の第１のフランジ４２、４２と、基部４１の表面４１ｂの長手方向Ｌに沿う一対の長端部４１ｌの一方に長手方向Ｌに互いに対向して立設されて軸受孔４３ａを夫々形成した一対の第２のフランジ４３、４３と、を備えている。
【００２９】
第１の筐体２と連結部材４とを第１の回転軸Ｘ回りに開閉自在に連結する第１のロック機構Ｒ１は、連結部材４の一対の短端部４１ｓの他方に形成された挿通孔４４と、第１の筐体２の表面４１ｂから突設して挿通孔４４内に挿通されて連結部材４の裏面４１ａに掛止可能な掛止突部５１を有する第１の板バネ５と、を備えている。
【００３０】
第２の筐体３と連結部材４とを第２の回転軸Ｙ回りに開閉自在に連結する第２のロック機構Ｒ２は、連結部材４の一対の長端部４１ｌの他方に形成された掛止孔４５と、第２の筐体３の側面３ｃから突設して掛止孔４５に掛止可能な掛止突部６１を有する第２の板バネ６と、を備えている。
【００３１】
図３に示すように、連結部材４の基部４１は、鋼板又はステンレス鋼板製の薄板を略矩形状にプレスして得られる。基部４１は、電子ディスプレイ２１及び操作部３１を囲繞するように形成された略矩形状の枠体である。これにより、撮影者は、枠状の基部４１に囲まれた隙間を介して、第１の筐体２の電子ディスプレイ２１を視たり、第２の筐体３の操作部３１を入力操作することができる。
【００３２】
第１のフランジ４２の軸受孔４２ａが、第１の筐体２の幅方向Ｗの両端に夫々設けられたピン２４を支持するため、第１の筐体２が第１の回転軸Ｘ回りに回動する際の第１の筐体２の偏芯が防止されて、第１の筐体２を安定して回動させることができる。
【００３３】
また、第２のフランジ４３の軸受孔４３ａが、第２の筐体３の長手方向Ｗの両端から夫々突設されたピン３４を支持するため、第２の筐体３が第２の回転軸Ｙ回りに回動する際の第２の筐体３の偏芯が防止されて、第２の筐体３を安定して回動させることができる。
【００３４】
第１のフランジ４２及び第２のフランジ４３は、基部４１の一部をプレス加工する等して基部４１と一体に形成されても、基部４１とは独立した別個の部材をネジ止め等によって基部に固着されても溶接されても構わない。
【００３５】
図４に示すように、第１の板バネ５は、掛止突部５１と、矩形板状に形成されて掛止突部５１を上端に配置して弾性を有する本体部５２と、掛止突部５１の上部に傾斜して形成されたガイド部５３と、を備えている。
【００３６】
本体部５２は、第１の筐体２の幅方向Ｗに沿う短端部２ｓ中央付近に設けられた取付溝２４内に挿入されて固定される。
【００３７】
第１の板バネ５の掛止突部５１が挿通孔４４内に挿通されて、掛止突部５１の先端が連結部材４の裏面４ａに掛止することで、第１の筐体２と連結部材４とが一体に固定される。
【００３８】
図５に示すように、第２の板バネ６は、掛止突部６１と、矩形板状に形成されて掛止突部６１を上端に配置して弾性を有する本体部６２と、を備えている。
【００３９】
本体部６２は、第２の筐体３の長手方向Ｌに沿う長端部３ｌ中央付近に設けられた取付溝３５内に挿入されて固定される。
【００４０】
第２の板バネ６の掛止突部６１が連結部材４の掛止孔４５に掛止することにより、第２の筐体３と連結部材４とが一体に固定される。
【００４１】
掛止孔４５の下方には、傾斜して形成されたガイド面４６が設けられている。
【００４２】
次に、縦画面位置で撮影を行う際に、第１の筐体２を第１の回転軸Ｘ回りに回動させる手順について図６及び図７に基づいて説明する。図６は、第１のロック機構Ｒ１の長手方向Ｌに平行な断面を示す要部断面図である。図７は、連結部材４を省略した携帯電話１の第１の開位置を示す模式図である。ここで、「縦画面位置」とは、携帯電話１を縦長に構えた状態をいう。
【００４３】
まず、図６（ａ）に示すように、第１の筐体２と連結部材４とが一体に固定されている状態から、図６（ｂ）に示すように、第１の板バネ５の掛止突部５１を矢印Ｆ１の向きに外力を加えて第１の板バネ５を内側に撓ませることにより、掛止突部５１の先端５１ａが連結部材４の裏面４ａから離れる。これにより、図６（ｃ）に示すように、第１の筐体２と連結部材４とは切り離されるため、第１の筐体２は、図６（ｃ）の紙面上を時計回りに回動可能になる。
【００４４】
なお、第１の開位置にある第１の筐体２を折り畳む際には、第１の筐体２が図６（ｄ）の紙面上を反時計回りに回動して、第１の板バネ５のガイド面５３が連結部材４の挿通孔４４の縁に当接すると、第１の板バネ５が外力Ｆ３によって内側に撓み始める。第１の筐体２が更に回動して、掛止突部５１が挿通孔４４を挿通されると、第１の板バネ５がガイド面５３から受けた外力Ｆ３が除かれて、第１の板バネ５が弾性変形して復元することにより、図６（ａ）に示すように、掛止突部５１の先端５１ａが連結部材４の裏面４ａに掛止して、第１の筐体２と連結部材４とが一体に固定される。
【００４５】
上述したように、第１のロック機構Ｒ１を解除するだけで、図７に示すように、第１の筐体２を第１の開位置、すなわち、第１の筐体２が第１の回転軸Ｘ回りに回動するため、撮影者が撮像画像を横長の電子ディスプレイ２１を覗く視線Ｓと撮影レンズ２３の光軸Ａが略垂直になるように第１の筐体２が位置決めされる。これにより、電子ディスプレイ２１を縦長に構えた縦画面位置・ローアングル撮影時であっても、撮影者は、無理な姿勢を強いられることなく快適にカメラ撮影を行うことができる。
【００４６】
次に、横画面位置で撮影を行う際に、第２の筐体３を第２の回転軸Ｙ回りに回動させる手順について図８及び図９に基づいて説明する。図８は、第２のロック機構Ｒ２の幅方向Ｗに平行な断面を示す要部断面図である。図９は、連結部材４を省略した携帯電話１の第２の開位置を示す模式図である。ここで、「横画面位置」とは、携帯電話１を横長に構えた状態をいう。
【００４７】
まず、図８（ａ）に示すように、第２の筐体３と連結部材４とが一体に固定されている状態から、図８（ｂ）に示すように、第２の板バネ６の掛止突部６１を矢印Ｆ２の向きに外力を加えて第２の板バネ６を内側に撓ませて、掛止突部６１が掛止孔４５から離れる。これにより、図８（ｃ）に示すように、第２の筐体３と連結部材４とは切り離されるため、第２の筐体３は、図８（ｃ）の紙面上を反時計回りに回動可能になる。
【００４８】
なお、第２の開位置にある第２の筐体３を折り畳む際には、第２の筐体３が図８（ｄ）の紙面上を時計回りに回動して、第２の板バネ６の掛止突部６１が連結部材４のガイド部４６に接触すると、第２の板バネ６が外力Ｆ４によって内側に撓み始める。第２の筐体３が更に回動して、掛止突部６１が掛止孔４５まで達すると、第２の板バネ３がガイド部４６から受けた外力Ｆ４が除かれて、第２の板バネ６が弾性変形して復元することにより、図８（ａ）に示すように、掛止突部６１が掛止孔４５に掛止して、第２の筐体３と連結部材４とが一体に固定される。
【００４９】
上述したように、第２のロック機構Ｒ２を解除するだけで、図９に示すように、第２の筐体３を第２の開位置、すなわち、第２の筐体３が第２の回転軸Ｙ回りに回動して、撮影者が縦長の電子ディスプレイ２１を覗く視線Ｓと撮影レンズ２３の光軸Ａが略垂直になるように第２の筐体３が位置決めされる。これにより、電子ディスプレイ２１を横長に構えた横画面位置・ローアングル撮影時であっても、撮影者は、無理な姿勢を強いられることなく快適にカメラ撮影を行うことができる。
【００５０】
このようにして、本実施例に係る携帯電話１は、第１の筐体２と第２の筐体３とを折り畳んだ状態から第１の開位置又は第２の開位置に速やかに移行して、携帯電話１の縦画面位置又は横画面位置を簡単に切り換えることができる。また、電子ディスプレイ２１がカメラの光軸Ａに対して傾斜可能なため、撮影者は、ローアングル撮影を楽な姿勢で簡便に行うことができる。
【００５１】
上述した本実施例においては、第１の筐体２を幅方向Ｗに平行な第１の回転軸Ｘ回りに回動させ、第２の筐体３を長手方向Ｌに平行な第２の回転軸Ｙ回りに回動させているが、第１の筐体２を長手方向Ｌに平行な第２の回転軸Ｙ回りに回動させ、第２の筐体３を幅方向Ｗに平行な第１の回転軸Ｘ回りに回動させても構わない。また、携帯電話１の縦横方向は、カメラの撮影素子の取付方向に応じて決まるため、携帯電話１の縦横は本実施例の開示内容に限定されるものではない。
【００５２】
本実施例にはおいては、第１の筐体及び第２の筐体の回動角度を略９０度に設定しているが、厳密に９０度である必要はなく、９０度より小さくでも、９０度より大きくても構わず、例えば、８０度や１００度であっても構わない。
【００５３】
なお、本発明は、本発明の精神を逸脱しない限り種々の改変をなすことができ、そして、本発明が該改変されたものにも及ぶことは当然である。
【符号の説明】
【００５４】
１  ・・・  携帯電話
２  ・・・  第１の筐体
２１・・・  電子ディスプレイ（表示部）
２２・・・  マイクロホン
２３・・・  ピン
２４・・・  取付溝
３  ・・・  第２の筐体
３１・・・  操作部
３２・・・  撮影レンズ
３３・・・  スピーカ
３４・・・  ピン
３５・・・  取付溝
４  ・・・  連結部材
４１・・・  基部
４２・・・  第１のフランジ
４２ａ・・・（第１のフランジの）軸受孔
４３・・・  第２のフランジ
４３ａ・・・（第２のフランジの）軸受孔
４４・・・  挿通孔
４５・・・  掛止孔
４６・・・  ガイド部
５  ・・・  第１の板バネ
５１・・・  掛止突部
５１ａ・・・先端
５２・・・  本体部
５３・・・  ガイド部
６  ・・・  第２の板バネ
６１・・・  掛止突部
６２・・・  本体部
Ｒ１・・・  第１のロック機構
Ｒ２・・・  第２のロック機構
Ｘ  ・・・  第１の回転軸
Ｙ  ・・・  第２の回転軸
【図１】
2015056706.tif 000003
【図２】
2015056706.tif 000004
【図３】
2015056706.tif 000005
【図４】
2015056706.tif 000006
【図５】
2015056706.tif 000007
【図６】
2015056706.tif 000008
【図７】
2015056706.tif 000009
【図８】
2015056706.tif 000010
【図９】
2015056706.tif 000011